(57)【要約】      （修正有）【課題】ホース取付部を有する対象物の包装に用いられる台紙において、適合ホースと所持ホースとの照合を容易かつ正確に行う。【解決手段】台紙２は、ホース取付部１５を有する対象物の包装に用いられる台紙２であって、台紙２の外周部の一部に、ホース取付部１５に取り付け可能なホースの内径および外径を同時に測定可能なホース径測定部３０を設けた。【選択図】図１
0003211923.tif 000002
【実用新案登録請求の範囲】
【請求項１】
ホース取付部を有する対象物の包装に用いられる台紙であって、
前記台紙の外周部の少なくとも一部に、前記ホース取付部に取り付け可能なホースの内径および外径を同時に測定可能なホース径測定部を設けたことを特徴とする台紙。
【請求項２】
前記ホース径測定部は、前記ホースの端部を嵌め込み可能な一対の溝であることを特徴とする請求項１に記載の台紙。
【請求項３】
前記ホース径測定部は、
前記ホースの端部から前記ホースの内側空間に挿入可能に突出する内径測定部と、
前記ホースの端部の外周面に当接可能に前記内径測定部を介して対向する一対の外径測定部と、を備えることを特徴とする請求項１又は２に記載の台紙。
【請求項４】
前記内径測定部は、前記台紙の外周縁に底辺が位置する台形をなすことを特徴とする請求項３に記載の台紙。
【請求項５】
前記内径測定部は、
前記台紙の外周縁に位置する底辺と、
前記底辺の一端から前記底辺と交差する方向に延びる第一脚と、
前記底辺の他端から前記底辺と直交する方向に延びる第二脚と、を有する台形をなすことを特徴とする請求項４に記載の台紙。
【請求項６】
前記ホース径測定部は、前記台紙における前記対象物の設置領域を避けた位置に設けられていることを特徴とする請求項１から５の何れか一項に記載の台紙。
【請求項７】
前記ホース径測定部は、前記台紙が係止される係止辺部に隣り合う側辺部に設けられていることを特徴とする請求項１から６の何れか一項に記載の台紙。
【考案の詳細な説明】
【技術分野】
【０００１】
本考案は、台紙に関する。
【背景技術】
【０００２】
従来、ホース取付部を有する散水ノズル等は、台紙に接続された包装袋に入れられて、店頭などに陳列されて販売されている。例えば、包装袋は、散水ノズルが外部から視認可能に透明とされている。また、台紙には、ホース取付部に取り付け可能なホース（以下「適合ホース」ともいう。）のサイズ等が印刷されている。
【先行技術文献】
【特許文献】
【０００３】
【特許文献１】特開平８−１７４１４号公報
【考案の概要】
【考案が解決しようとする課題】
【０００４】
しかしながら、散水ノズルが包装袋に入れられていると、包装袋を開かないかぎり、散水ノズルを取り出せない。そのため、消費者は店頭などに持参したホース（以下単に「所持ホース」ともいう。）を、散水ノズルのホース取付部に直接照合することができない。
また、包装袋の外部から散水ノズルのホース取付部を視認し、ホース取付部に所持ホースが適合するか否かを正確に判別することは困難である。
また、台紙に印刷されている適合ホースのサイズを読み取って所持ホースのサイズと照らし合わせようとしても、消費者は所持ホースの正確なサイズを把握していないことが多い。
そのため、適合ホースと所持ホースとの正確な照合ができずに、所持ホースが適合しない間違った散水ノズルを購入する可能性があった。
一方、特許文献１には、電池のブリスターパックに関する構造は開示されているが、ホース取付部を有する対象物の包装に用いられる台紙は開示されていない。
ところで、適合ホースと所持ホースとを照合するための構造としては、台紙に適合ホースの内径を測定可能な凸部を設けた構造、または台紙に適合ホースの外径を測定可能な凹部を設けた構造が考えられる。しかし、台紙に前記凸部または前記凹部の何れか一方のみを設けた構造では、ホースの肉厚を加味することはできない。ホースは、肉厚によって変形の許容範囲が異なる。そのため、ホースが数種類の肉厚を有する場合には、適合ホースと所持ホースとの照合を正確に行うことは困難である。
【０００５】
本考案は上記事情に鑑みてなされたものであり、ホース取付部を有する対象物の包装に用いられる台紙において、適合ホースと所持ホースとの照合を容易かつ正確に行うことを目的とする。
【課題を解決するための手段】
【０００６】
上記課題の解決手段として、請求項１に係る考案は、ホース取付部を有する対象物の包装に用いられる台紙であって、前記台紙の外周部の少なくとも一部に、前記ホース取付部に取り付け可能なホースの内径および外径を同時に測定可能なホース径測定部を設けたことを特徴とする。
【０００７】
請求項２に係る考案は、前記ホース径測定部は、前記ホースの端部を嵌め込み可能な一対の溝であることを特徴とする。
【０００８】
請求項３に係る考案は、前記ホース径測定部は、前記ホースの端部から前記ホースの内側空間に挿入可能に突出する内径測定部と、前記ホースの端部の外周面に当接可能に前記内径測定部を介して対向する一対の外径測定部と、を備えることを特徴とする。
【０００９】
請求項４に係る考案は、前記内径測定部は、前記台紙の外周縁に底辺が位置する台形をなすことを特徴とする。
【００１０】
請求項５に係る考案は、前記内径測定部は、前記台紙の外周縁に位置する底辺と、前記底辺の一端から前記底辺と交差する方向に延びる第一脚と、前記底辺の他端から前記底辺と直交する方向に延びる第二脚と、を有する台形をなすことを特徴とする。
【００１１】
請求項６に係る考案は、前記ホース径測定部は、前記台紙における前記対象物の設置領域を避けた位置に設けられていることを特徴とする。
【００１２】
請求項７に係る考案は、前記ホース径測定部は、前記台紙が係止される係止辺部に隣り合う側辺部に設けられていることを特徴とする。
【考案の効果】
【００１３】
請求項１に係る考案によれば、台紙に設けられたホース径測定部によって、ホース取付部に取り付け可能なホースの内径および外径を同時に測定することができるため、所持ホースの内径および外径を別々に測定する場合と比較して、測定の手間を省くことができる。したがって、適合ホースと所持ホースとの照合を容易かつ正確に行うことができる。
【００１４】
請求項２に係る考案によれば、ホース径測定部としてホースの端部を嵌め込み可能な一対の溝を設けた簡単な構成で、適合ホースと所持ホースとの照合を容易かつ正確に行うことができる。
【００１５】
請求項３に係る考案によれば、ホース径測定部として内径測定部と一対の外径測定部とを備えた簡単な構成で、適合ホースと所持ホースとの照合を容易かつ正確に行うことができる。
【００１６】
請求項４に係る考案によれば、台形の脚によってホースの内径を測定することができるため、適合ホースと所持ホースとの照合を容易かつ正確に行うことができる。加えて、内径測定部を台紙の外周縁を利用して設けることができるため、台紙の製造時の歩留り低下を抑制することができる。
【００１７】
請求項５に係る考案によれば、台形の第二脚によってホースをしっかりと押さえることができるため、内径測定部が等脚台形をなす場合と比較して、ホースの内径を容易に測定することができる。
【００１８】
請求項６に係る考案によれば、所持ホースの測定時に対象物が邪魔になることはないため、好適である。
【００１９】
請求項７に係る考案によれば、係止辺部において台紙を吊り下げることができる。加えて、ホース径測定部が係止辺部とは反対側の辺部に設けられた場合と比較して、台紙の吊り下げ状態においてホース径測定部が視認しやすいため、好適である。
【図面の簡単な説明】
【００２０】
【図１】実施形態に係る台紙に接続された包装袋に散水ノズルが入れられている状態を示す模式図である。
【図２】上記散水ノズルが有するホース取付部を軸線方向から見た図である。
【図３】上記ホース取付部に取り付け可能なホースを示す模式図である。
【図４】上記台紙を示す模式図である。
【図５】上記台紙におけるホース径測定部の拡大図である。
【図６】上記台紙の吊り下げ状態を示す斜視図である。
【考案を実施するための形態】
【００２１】
以下、本考案の実施形態を図面に基づいて説明する。以下の実施形態では、ホース取付部を有する対象物の包装に用いられる台紙の一例として、散水ノズルの包装に用いられる台紙を挙げて説明する。なお、以下の説明に用いる図面では、各部材を認識可能な大きさとするため、各部材の縮尺を適宜変更している。以下、台紙に接続された包装袋に散水ノズルが入れられている状態にある物を、台紙、包装袋および散水ノズルを含めて「パッケージ」ともいう。
【００２２】
＜パッケージ全体＞
図１に示すように、パッケージ１は、台紙２、包装紙３及び散水ノズル４を備える。
台紙２は、ホース取付部１５を有する散水ノズル４を包装する包装袋３に接続されている。包装袋３は、外部から散水ノズル４が視認可能に透明とされている。例えば、包装袋３は、ポリ塩化ビニル（ＰＶＣ）、ポリエチレン（ＰＥ）、ポリプロピレン（ＰＰ）等のプラスチック製の透明フィルムで作られている。
【００２３】
散水ノズル４は、包装袋３に入れられているため、包装袋３を開かないかぎり、散水ノズル４を取り出すことはできない。散水ノズル４は、グリップ１１の一端にノズル１２が取り付けられた本体部１０と、グリップ１１の他端に着脱可能に取り付けられたホース取付部１５と、を備える。なお、図１において、符号１３は水量調整ツマミ、符号１４はレバーをそれぞれ示す。
【００２４】
＜ホース取付部＞
ホース取付部１５は、グリップ１１の他端に係合可能なホースコネクタ１６と、ホースコネクタ１６のニップル１７（以下「ホースホルダ１７」ともいう。）に螺着可能なホースロックホルダ１８と、を備える。
【００２５】
図２は、ホースホルダ１７を、筒状をなすホース取付部１５の軸線方向から見た図である。言い換えると、図２は、ホース取付部１５からホースロックホルダ１８を取り外した状態を示す図である。
【００２６】
図２に示すように、ホースホルダ１７は、ホース５（図３参照）の端部からホース５の内側空間に挿入可能に突出する筒状の内筒部１７ａと、内筒部１７ａの径方向外側に位置する筒状の外筒部１７ｂと、ホースロックホルダ１８（図１参照）の雄ネジ部（不図示）が螺合可能な雌ネジ部１７ｃと、を備える。
【００２７】
図３は、ホース取付部１５に取り付け可能なホース５（適合ホース５）の一例を示す。適合ホース５は、使用される蛇口の大きさ等によって、内径Ｄ１および外径Ｄ２が異なっている。例えば、適合ホース５の内径Ｄ１および外径Ｄ２は、（１）内径１３ｍｍ、外径１７ｍｍ、（２）内径１３．５ｍｍ、外径１８ｍｍ、（３）内径１５ｍｍ、外径２０ｍｍ等の数種類がある。
【００２８】
図２に示すように、外筒部１７ｂは、雌ネジ部１７ｃの側から内筒部１７ａに向けて突出する複数の弾性片を備える。ホースホルダ１７の外筒部１７ｂは、内筒部１７ａに対して径方向に弾性変形可能である。ここで、径方向は、ホース取付部１５の軸線ＣＬに直交する方向を意味する。
【００２９】
例えば、ホース５の着脱時において、外筒部１７ｂは、内筒部１７ａに対して径方向外側に変形する。これにより、内筒部１７ａと外筒部１７ｂとの間隔が広がるため、ホース取付部１５に対するホース５の着脱が許容される。
一方、ホースロックホルダ１８の螺着時において、外筒部１７ｂは、内筒部１７ａに対して径方向内側に変形する。これにより、外筒部１７ｂによってホース５が径方向外側から付勢されるため、ホース取付部１５に対してホース５が固定される。
【００３０】
＜台紙＞
図４は、実施形態に係る台紙２の一例を示す平面図である。
図４に示すように、台紙２には、適合ホース５（図３参照）の内径および外径を同時に測定可能なホース径測定部３０が設けられている。
【００３１】
例えば、台紙２は、厚紙で形成されている。図４の平面視で、台紙２は矩形状をなす台紙本体２０の一部が切り欠かれた外形を有する。台紙２は、台紙本体２０の外周部を形成する４つの辺部２１，２２，２３，２４を備える。具体的に、台紙２は、第一辺部２１と、第一辺部２１とは反対側に位置する第二辺部２２と、第一辺部２１と第二辺部２２とをつなぐ第三辺部２３と、第三辺部２３とは反対側に位置する第四辺部２４と、を備える。
【００３２】
図４の平面視で、第一辺部２１と第二辺部２２とは、互いに平行な直線状をなす。
第一辺部２１は、台紙２が係止される係止辺部として機能する。台紙２の第一辺部２１（以下「係止辺部２１」ともいう。）寄りには、陳列台のバー４０（図６参照）を通すことが可能な挿通孔２５が形成されている。例えば、陳列台のバー４０（図６参照）を台紙２の挿通孔２５に通すことによって、係止辺部２１において台紙２を吊り下げることができ、パッケージ１（図６参照）を陳列することができる。便宜上、図６においては、１つのパッケージ１のみを示す。
【００３３】
第三辺部２３は、散水ノズル４の本体部１０におけるノズル１２（図１参照）を収容するノズル収容部として機能する。図４の平面視で、第三辺部２３には、ノズル１２（図１参照）の外形に沿うように台紙２の内側に湾曲して窪む凹部２３ａが形成されている。なお、図４において、符号２６は散水ノズル４を台紙２に取り付けるための取付孔、符号２７は散水ノズル４の設置領域をそれぞれ示す。ここで、散水ノズル４の設置領域２７は、平面視で散水ノズル４と台紙２とが重なる領域を意味する。
【００３４】
第四辺部２４は、係止辺部２１に隣り合う側辺部である。第四辺部２４（以下「側辺部２４」ともいう。）は、台紙２の吊り下げ状態（図６に示すパッケージ１の陳列状態）において、散水ノズル４の側方に位置する。
【００３５】
＜ホース径測定部＞
ホース径測定部３０は、台紙２の側辺部２４に設けられている。ホース径測定部３０は、台紙２における散水ノズル４の設置領域２７を避けた位置に設けられている。図４の平面視で、ホース径測定部３０は、台紙２において係止辺部２１と側辺部２４とがなす角部寄りに設けられている。
【００３６】
ホース径測定部３０は、ホース５（図３参照）の端部を嵌め込み可能な一対の溝３１，３２である。一対の溝３１，３２は、ホース５の端部の径方向一端を嵌め込み可能な第一溝３１と、ホース５の端部の径方向他端を嵌め込み可能な第二溝３２と、である。
【００３７】
図５の平面視で、第一溝３１は、台紙２の内側ほど幅（一対の脚間の距離）が狭くなるように窪む台形をなす。一方、第二溝３２は、深さ方向に長手を有する長方形をなす。
【００３８】
別の観点で言うと、ホース径測定部３０は、ホース５（図３参照）の端部からホース５の内側空間に挿入可能に突出する内径測定部３３と、ホース５の端部の外周面に当接可能に内径測定部３３を介して対向する一対の外径測定部３４，３５と、を備える。
【００３９】
図５の平面視で、内径測定部３３は、台紙２の外周縁に底辺３３ａが位置する台形をなす。すなわち、内径測定部３３は、台形の底辺３３ａが第四辺部２４の直線部分に沿うように設けられている。
【００４０】
実施形態において、内径測定部３３は、台紙２の外周縁に位置する底辺３３ａと、底辺３３ａの一端から底辺３３ａと交差する方向に延びる第一脚３３ｂと、底辺３３ａの他端から底辺３３ａと直交する方向に延びる第二脚３３ｃと、を有する台形をなす。
【００４１】
一対の外径測定部３４，３５は、第一脚３３ｂと共に第一溝３１を形成する第一外径測定部３４と、第二脚３３ｃと共に第二溝３２を形成する第二外径測定部３５と、である。図５の平面視で、第一外径測定部３４と第二外径測定部３５とは、互いに平行な直線状をなす。
【００４２】
図５の平面視で、第一脚３３ｂは、台紙２の内側ほど第一外径測定部３４の側に位置するように傾斜する直線状をなす。図５の平面視で、第二脚３３ｃは、第二外径測定部３５と平行な直線状をなす。
【００４３】
台紙２において、ホース径測定部３０の周囲には、適合ホース５（図３参照）のサイズ等が印刷されている。例えば、適合ホース５のサイズ等には、適合ホース５の内径Ｄ１および外径Ｄ２が含まれる。例えば、適合ホース５の内径Ｄ１は、１２ｍｍ以上１５ｍｍ以下の範囲とされている（１２ｍｍ≦Ｄ１≦１５ｍｍ）。一方、適合ホース５の外径Ｄ２は、内径Ｄ１より大きく且つ２０ｍｍ以下とされている（Ｄ１＜Ｄ２≦２０ｍｍ）。
【００４４】
＜所持ホースの照合方法＞
次に、実施形態に係る台紙２を用いた所持ホースの照合方法について説明する。実施形態に係る台紙２を用いた所持ホースの照合方法は、店頭などに陳列されている数種類のパッケージ１（図６参照）の各台紙２のホース径測定部３０に所持ホースの端部を当て、何れの散水ノズル４のホース取付部１５に所持ホースの端部が適合するかを判別するものである。
【００４５】
具体的に、台紙２を用いた照合は、台紙２の一対の溝３１，３２に所持ホースの端部を嵌め込むことにより行う。このとき、一対の溝３１，３２に所持ホースの端部を隙間なく嵌め込むことができれば、散水ノズル４のホース取付部１５に所持ホースの端部が適合すると判別する。一方、一対の溝３１，３２と所持ホースの端部との間に隙間があったり、一対の溝３１，３２に所持ホースの端部を嵌め込むことができなかったりしたときは、散水ノズル４のホース取付部１５に所持ホースの端部が適合しないと判別する。
【００４６】
以上説明したように、上記実施形態に係る台紙２は、ホース取付部１５を有する散水ノズル４の包装に用いられる台紙２であって、台紙２の外周部の一部に、ホース取付部１５に取り付け可能なホース５の内径Ｄ１および外径Ｄ２を同時に測定可能なホース径測定部３０を設けたものである。
この構成によれば、台紙２に設けられたホース径測定部３０によって、ホース取付部１５に取り付け可能なホース５の内径Ｄ１および外径Ｄ２を同時に測定することができるため、所持ホースの内径および外径を別々に測定する場合と比較して、測定の手間を省くことができる。したがって、適合ホース５と所持ホースとの照合を容易かつ正確に行うことができる。
ところで、適合ホースと所持ホースとを照合するための構造としては、台紙に適合ホースの内径を測定可能な凸部を設けた構造、または台紙に適合ホースの外径を測定可能な凹部を設けた構造が考えられる。しかし、台紙に前記凸部または前記凹部の何れか一方のみを設けた構造では、ホースの肉厚を加味することはできない。ホースは、肉厚によって変形の許容範囲が異なる。そのため、ホースが数種類の肉厚を有する場合には、適合ホースと所持ホースとの照合を正確に行うことは困難である。これに対し、この構成によれば、台紙２に設けられたホース径測定部３０によって、ホース取付部１５に取り付け可能なホース５の内径Ｄ１および外径Ｄ２を同時に測定することができるため、台紙に前記凸部または前記凹部の何れか一方のみを設けた構造と比較して、ホースの肉厚を加味することができる。したがって、ホースが数種類の肉厚を有する場合であっても、適合ホース５と所持ホースとの照合を容易かつ正確に行うことができる。
【００４７】
また、この構成によれば、ホース径測定部３０は、ホース５の端部を嵌め込み可能な一対の溝３１，３２であることで、以下の効果を奏する。ホース径測定部３０としてホース５の端部を嵌め込み可能な一対の溝３１，３２を設けた簡単な構成で、適合ホース５と所持ホースとの照合を容易かつ正確に行うことができる。
【００４８】
また、この構成によれば、ホース径測定部３０は、ホース５の端部からホース５の内側空間に挿入可能に突出する内径測定部３３と、ホース５の端部の外周面に当接可能に内径測定部３３を介して対向する一対の外径測定部３４，３５と、を備えることで、以下の効果を奏する。ホース径測定部３０として内径測定部３３と一対の外径測定部３４，３５とを備えた簡単な構成で、適合ホース５と所持ホースとの照合を容易かつ正確に行うことができる。
【００４９】
また、この構成によれば、内径測定部３３は、台紙２の外周縁に底辺３３ａが位置する台形をなすことで、以下の効果を奏する。台形の脚によってホース５の内径を測定することができるため、適合ホース５と所持ホースとの照合を容易かつ正確に行うことができる。加えて、内径測定部３３を台紙２の外周縁を利用して設けることができるため、台紙２の製造時の歩留り低下を抑制することができる。
【００５０】
また、この構成によれば、内径測定部３３は、台紙２の外周縁に位置する底辺３３ａと、底辺３３ａの一端から底辺３３ａと交差する方向に延びる第一脚３３ｂと、底辺３３ａの他端から底辺３３ａと直交する方向に延びる第二脚３３ｃと、を有する台形をなすことで、以下の効果を奏する。台形の第二脚３３ｃによってホース５をしっかりと押さえることができるため、内径測定部３３が等脚台形をなす場合と比較して、ホース５の内径を容易に測定することができる。
【００５１】
また、この構成によれば、ホース径測定部３０は、台紙２における散水ノズル４の設置領域２７を避けた位置に設けられていることで、所持ホースの測定時に散水ノズル４が邪魔になることはないため、好適である。
【００５２】
また、この構成によれば、ホース径測定部３０は、台紙２が係止される係止辺部２１に隣り合う側辺部２４に設けられていることで、以下の効果を奏する。係止辺部２１において台紙２を吊り下げることができる。加えて、ホース径測定部３０が係止辺部２１とは反対側の第二辺部２２に設けられた場合と比較して、台紙２の吊り下げ状態においてホース径測定部３０が視認しやすいため、好適である。
【００５３】
なお、本考案は上記実施形態に限定されるものではなく、その要旨を逸脱しない範囲で種々の設計変更が可能である。
例えば、上記実施形態では、ホース取付部を有する対象物の包装に用いられる台紙の一例として、散水ノズル４の包装に用いられる台紙２を挙げて説明したが、これに限らない。例えば、台紙２は、散水ノズル４以外の対象物の包装に用いられていてもよい。すなわち、対象物は、少なくともホース取付部を備えていればよい。
【００５４】
また、上記実施形態では、台紙２が厚紙で形成されている例を挙げて説明したが、これに限らない。例えば、台紙２は、プラスチック製であってもよい。すなわち、台紙２は、包装袋３が接続される土台として機能するものであればよい。
【００５５】
また、上記実施形態では、ホース径測定部３０が側辺部２４に設けられている例を挙げて説明したが、これに限らない。例えば、ホース径測定部３０は、側辺部２４以外の他の辺部（すなわち、第一辺部２１、第二辺部２２または第三辺部２３）に設けられていてもよい。すなわち、ホース径測定部３０は、台紙２の外周部の少なくとも一部に設けられていればよい。
【００５６】
また、上記実施形態では、内径測定部３３が台紙２の外周縁に底辺３３ａが位置する台形をなす例を挙げて説明したが、これに限らない。例えば、内径測定部３３は、台紙２の外周縁よりも内方又は外方に底辺３３ａが位置する台形をなしていてもよい。
【００５７】
また、上記実施形態では、内径測定部３３は、台紙２の外周縁に位置する底辺３３ａと、底辺３３ａの一端から底辺３３ａと交差する方向に延びる第一脚３３ｂと、底辺３３ａの他端から底辺３３ａと直交する方向に延びる第二脚３３ｃと、を有する台形をなす例を挙げて説明したが、これに限らない。例えば、内径測定部３３は等脚台形をなしていてもよい。
【００５８】
また、上記実施形態では、ホース径測定部３０が台紙２における散水ノズル４の設置領域２７を避けた位置に設けられている例を挙げて説明したが、これに限らない。例えば、ホース径測定部３０は、台紙２における散水ノズル４の設置領域２７と重なる位置に設けられていてもよい。
【符号の説明】
【００５９】
２…台紙
４…散水ノズル（対象物）
５…ホース
１５…ホース取付部
２１…第一辺部（係止辺部）
２４…第四辺部（側辺部）
３０…ホース径測定部
３１…第一溝（溝）
３２…第二溝（溝）
３３…内径測定部
３３ａ…底辺
３３ｂ…第一脚
３３ｃ…第二脚
３４…第一外径測定部（外径測定部）
３５…第二外径測定部（外径測定部）
【図１】
0003211923.tif 000003
【図２】
0003211923.tif 000004
【図３】
0003211923.tif 000005
【図４】
0003211923.tif 000006
【図５】
0003211923.tif 000007
【図６】
0003211923.tif 000008